(57)【要約】    【課題】  棒状物品を所定の姿勢で搬送すると共に下流側に確実に受け渡すことができる搬送装置及びそれを備えた組合せ計量装置を提供する。    【解決手段】  物品搬送部５に、搬送方向ｂと直交する向きで立設された複数の仕切部材５２…５２を有して上流側と下流側との間を循環走行する平ベルト５１と、該平ベルト５１が水平走行から下方へ湾曲走行する下流端部に設けられると共に前記仕切部材５２…５２が通過する切り欠き部６″を有するシュート６とを備える。また、各仕切部材５２を、板状の部材を用いて後傾姿勢の前面５２ａと前傾姿勢の後面５２ｂとで構成し、かつ前後両面５２ａ，５２ｂの下端部を介して平ベルト５１に固定する。【選択図】    図２
2005075474.tif 000002
【特許請求の範囲】
【請求項１】
搬送方向と直交する向きで立設された複数の仕切部材を有して搬送経路を循環走行する無端状搬送部材と、該搬送部材が水平走行から下方へ湾曲走行する下流端近傍に設けられると共に前記仕切部材が通過する切り欠き部を有するシュートとが備えられ、上流側から供給された棒状物品を下流側に搬送する搬送装置であって、前記仕切部材は前面が後傾姿勢とされていることを特徴とする搬送装置。
【請求項２】
前記仕切部材は後面が前傾姿勢とされていることを特徴とする請求項１に記載の搬送装置。
【請求項３】
前記仕切部材は板状の部材を成形してなると共に前後両面の下端部を介して前記搬送部材に固定されていることを特徴とする請求項２に記載の搬送装置。
【請求項４】
棒状物品の重量を計量する計量手段と、該計量手段によって計量された複数の棒状物品の計量値に基づいて組合せ演算を行う演算手段とが備えられ、組合せ演算によって選択された物品を集合させる組合せ計量装置であって、前記計量手段の下流側に備えられた前記請求項１から請求項３のいずれかに記載の搬送装置によって前記棒状物品を集合させることを特徴とする組合せ計量装置。
【発明の詳細な説明】
【技術分野】
【０００１】
本発明は、棒状物品を搬送する搬送装置及びそれを備えた組合せ計量装置に関し、物品処理の技術分野に属する。
【背景技術】
【０００２】
従来、各種物品の自動計量に用いられる組合せ計量装置には、例えば、供給される物品の重量をそれぞれ重量検出器に連結された複数の計量ホッパで計量すると共にこれらの計量値に基づいて組合せ演算を行い、組合せ重量が所定の範囲内で目標重量に最も近い重量となる組合せの計量ホッパのみから物品を排出することにより、目標重量に計量された物品を得るようにしたものがある。
【０００３】
このような組合せ計量装置において、各計量ホッパから排出された物品を搬送する搬送コンベアを備えることがある。一例として、特許文献１にはそのような搬送コンベアが記載されている。この搬送コンベアは物品搬送面を形成する柔軟な平ベルトを有し、該平ベルトに複数の仕切部材が搬送面に垂直にかつ搬送方向と直交する向きで立設されている。
【０００４】
これにより、上方の計量ホッパから排出された棒状物品は、搬送コンベアの平ベルト上に移載されたのち、前後の仕切部材間の空間にその長手方向を搬送方向と直交する方向に向けた姿勢で保持されつつ搬送され、搬送コンベアの下流端において前記姿勢を維持しつつ後方側の仕切部材によって前方へ押し出され、下流端近傍に配設されたタイミングホッパに受け渡されるようになる。
【０００５】
【特許文献１】実公平６−６００３号公報（第４頁、第１図）
【発明の開示】
【発明が解決しようとする課題】
【０００６】
ところで、前述したような搬送コンベアの下流端前方に該コンベアから排出される棒状物品を滑落させるシュート等の傾斜面を有する部材が配設される場合、以下の問題が生じることがある。
【０００７】
すなわち、図１０（ａ）に示すように、搬送コンベアＡに備えられた平ベルトＢ上を所定ピッチｐで設けられた高さｈの仕切部材Ｃによって後方から支持されながら矢印ｂ方向に搬送される棒状物品Ｘは、図１０（ｂ）に示すように、下流側ローラＤの近傍で搬送コンベアＡからシュートＥに受け渡されるとき、つまり仕切部材Ｃが矢印ｃ方向に旋回走行するとき、仕切部材Ｃの旋回動作に巻き込まれることがある。その結果、図１０（ｃ）に示すように、仕切部材Ｃが二点鎖線で示す軌跡を描いてシュートＥの底面Ｅ′に設けられた切り欠き部Ｅ″を通過しようとするとき、棒状物品Ｘは仕切部材ＣとシュートＥの底面Ｅ′とに挟まれて損傷し、商品価値を失うという問題を生じることがある。また、仕切部材ＣとシュートＥの底面Ｅ′との間に棒状物品Ｘが挟まると組合せ計量装置の運転を停止するように制御することがあり、その場合には稼働率を低下させるという問題が発生する。
【０００８】
そこで、本発明は、以上の現状に鑑み、棒状物品を所定の姿勢で搬送すると共に下流側に確実に受け渡すことができる搬送装置及びそれを備えた組合せ計量装置を提供することを課題とする。
【課題を解決するための手段】
【０００９】
前記課題を解決するため、本発明は次のように構成したことを特徴とする。
【００１０】
まず、請求項１に記載の発明は、搬送方向と直交する向きで立設された複数の仕切部材を有して搬送経路を循環走行する無端状搬送部材と、該搬送部材が水平走行から下方へ湾曲走行する下流端近傍に設けられると共に前記仕切部材が通過する切り欠き部を有するシュートとが備えられ、上流側から供給された棒状物品を下流側に搬送する搬送装置に関するもので、前記仕切部材は前面が後傾姿勢とされていることを特徴とする。
【００１１】
次に、請求項２に記載の発明は、前記請求項１に記載の搬送装置において、前記仕切部材は後面が前傾姿勢とされていることを特徴とする。
【００１２】
また、請求項３に記載の発明は、前記請求項２に記載の搬送装置において、前記仕切部材は板状の部材を成形してなると共に前後両面の下端部を介して前記搬送部材に固定されていることを特徴とする。
【００１３】
そして、請求項４に記載の発明は、棒状物品の重量を計量する計量手段と、該計量手段によって計量された複数の棒状物品の計量値に基づいて組合せ演算を行う演算手段とが備えられ、組合せ演算によって選択された物品を集合させる組合せ計量装置に関するもので、前記計量手段の下流側に備えられた前記請求項１から請求項３のいずれかに記載の搬送装置によって前記棒状物品を集合させることを特徴とする。
【発明の効果】
【００１４】
まず、請求項１に記載の発明によれば、仕切部材の前面を後傾姿勢としたことにより、シュートへの棒状物品の受け渡し時に、従来の垂直姿勢の仕切部材を用いた場合に比較して物品が仕切部材の前面に沿ってシュート方向にいち早く転がり落ちるようになるため、仕切部材がシュートの切り欠き部を通過するときには仕切部材と切り欠き部近傍との間に物品は介在しなくなる。
【００１５】
また、仕切部材が切り欠き部を通過するときに仕切部材と切り欠き部近傍との間に物品が介在したとしても、従来に比較して仕切部材と切り欠き部近傍とのなす角度が鈍化するため、旋回走行する仕切部材の前面が物品を前方に押し出すようになり、仕切部材からの物品の離反が助勢されることになる。つまり、仕切部材が旋回走行するときの棒状物品の巻き込みが回避されるようになる。
【００１６】
したがって、仕切部材とシュートとで棒状物品を挟むことがないから、物品の損傷が防止され、物品を下流側に確実に受け渡すことができるようになる。
【００１７】
また、仕切部材とシュートとの間に棒状物品が挟まると運転を停止するように制御される組合せ計量装置の場合、前述したように物品を挟むことがないから、運転停止による稼働率の低下が回避されるようになる。
【００１８】
さらに、搬送部材の水平走行時つまり棒状物品の水平搬送時には、物品は仕切部材の後傾姿勢とされた前面によって確実に仕切部材間の空間に搬送方向と直交する姿勢で保持されつつ下流側に搬送されるため、整列性が良くなる。したがって、例えば下流側での棒状物品の排出行程や結束行程等が円滑に行われるようになる。
【００１９】
次に、請求項２に記載の発明によれば、仕切部材は前面を後傾姿勢としたことに加えて後面を前傾姿勢としたことにより、従来の垂直姿勢の仕切部材を用いる場合の配設ピッチと同じピッチで当該仕切部材を配設すると、前後の仕切部材の傾斜面によって形成される搬送部材の水平搬送面の面積が縮小されるから、棒状物品は該水平搬送面に搬送方向と直交する姿勢に保持され易くなる。したがって、棒状物品は一層良好に所定の姿勢に保持されつつ搬送されるようになる。
【００２０】
また、請求項３に記載の発明によれば、仕切部材を板状の部材で形成すると共にその前後両面の下端部を介して搬送部材に固定したことにより、搬送部材の湾曲走行時に仕切部材は搬送部材に良好に追随して旋回走行するから、仕切部材は搬送部材の円滑な湾曲走行を阻害することがない。
【００２１】
その上で、仕切部材は搬送部材に良好に追随して旋回走行するから、前後両面の下端部を介して搬送部材に固定された仕切部材の前面の傾斜角はさらに鈍化する。したがって、旋回走行する仕切部材による棒状物品の巻き込みが一層回避されるようになる。
【００２２】
さらに、仕切部材は搬送部材に良好に追随して旋回走行することから、仕切部材の旋回走行時の高さは水平走行時の高さより低くなる。したがって、シュートの切り欠き部の寸法を縮小することができ、搬送部材からシュートへの棒状物品の受け渡しが一層円滑になる。
【００２３】
一方、仕切部材の旋回走行時の高さを従来の垂直姿勢の仕切部材が旋回走行するときの高さと等しくすると、当該仕切部材の水平走行時の高さを従来の仕切部材の高さより高く設定することができることになるから、その場合には所定の空間への棒状物品の保持が一層確実となる。したがって、搬送中に棒状物品が仕切部材を乗り越えて隣接する保持空間に移動することが効果的に抑制されるから、例えば組合せ計量装置にこの搬送装置を適用した場合、目標重量に計量された物品を下流側へ確実に搬送ののち集合することができるようになる。
【００２４】
そして、請求項４に記載の発明によれば、組合せ計量装置において、前記請求項１〜３に記載の発明の作用と同様の作用が得られるようになる。すなわち、前記搬送装置により、目標重量に計量された棒状物品を所定の姿勢で搬送すると共に損傷することなく下流側に確実に受け渡すことができるようになる。
【発明を実施するための最良の形態】
【００２５】
以下、本発明の実施の形態に係る組合せ計量装置について説明する。なお、以降の説明において「前、後」とあるのは、「搬送方向の前方側、後方側」を意味する。
【００２６】
図１に示すように、この組合せ計量装置１は、上流側から供給されるアスパラガスのような損傷し易い棒状物品を目標重量に計量したのち集合して下流側に排出するもので、上流側から順に、物品供給部２と、計量部３と、バケット搬送部４と、物品搬送部５と、シュート６とを有している。また、この組合せ計量装置１は、各種設定や入力を行うためのタッチパネル式の操作部７と、各種制御を行う制御部８とを有している。そして、この組合せ計量装置１の下流側には、シュート６を滑落して集合した棒状物品を例えば結束装置に搬送するベルトコンベア式の物品排出部９が接続されている。
【００２７】
物品供給部２は供給台２１と供給コンベア２２と中継コンベア２３とを有しており、棒状物品を計量部３へ供給する。
【００２８】
計量部３は下部が開閉する計量ホッパ３１を有しており、上流側の物品供給部２から例えば１〜３本ずつ供給される棒状物品を都度受け入れてその重量を計量する。
【００２９】
バケット搬送部４は計量部３から排出される計量済みの棒状物品を順次受け入れると共に下流側の物品搬送部５に受け渡すものである。このバケット搬送部４は、図示しない駆動機構により回転駆動される前方側の左右一対（一方のみ図示）のスプロケット４１，４１と、後方側の左右一対（一方のみ図示）のスプロケット４２，４２と、これら対応するスプロケット４１，４１，４２，４２間に巻き掛けられた左右一対の無端状チェーン（一方のみ図示）４３，４３と、これらチェーン４３，４３間に吊り下げられて下部が開閉する複数のバケット４４…４４とを有している。
【００３０】
これにより、チェーン４３，４３が矢印ａ方向に上側走行路を走行すると、これらチェーン４３，４３に支持された空のバケット４４…４４は計量部３が排出する計量済みの棒状物品を受け入れたのち、下側走行路を走行する。そして、棒状物品を収容したバケット４４…４４が下側走行路に進入して下方の物品搬送部５に対向すると走行は停止され、これらバケット４４…４４に収容された物品の計量値に基づいて組合せ演算が行われる。その場合、吊り下げられたバケット４４…４４はその姿勢を維持しながら上側及び下側走行路を循環走行する。また、計量部３で得られた計量値は当該棒状物品を受け入れたバケット４４に対応付けられるようになっている。
【００３１】
本発明の特徴部分である物品搬送部５はベルトコンベア式のもので、図示しない駆動機構により矢印ｂ方向に走行する無端状の平ベルト５１を有している。そして、この平ベルト５１には、複数の仕切部材５２…５２が立設されている。なお、平ベルト５１及び仕切部材５２…５２には、例えば帆布にポリウレタンをコーティングしたものが使用される。
【００３２】
図２及び図３に示すように、この物品搬送部５の平ベルト５１は上流側の図示しないローラと下流側のローラ５３との間に巻き掛けられている。そして、この平ベルト５１に所定ピッチｐで設けられた各仕切部材５２は、板状の部材を用いて側断面が三角形状に形成されると共に長手方向が搬送方向ｂに直交する向きで前後の下端部を介して接着等により平ベルト５１に固定されている。つまり、各仕切部材５２は、後傾姿勢の前面５２ａと前傾姿勢の後面５２ｂとを有している。そして、前後の仕切部材５２，５２間に棒状物品Ｘを保持する空間Ｓが形成されており、上方のバケット搬送部４のバケット４４…４４のうち、組合せ演算で選択されたバケット４４…４４から排出された棒状物品Ｘ…Ｘはこれら保持空間Ｓ…Ｓに受け入れられる。
【００３３】
シュート６は物品搬送部５が搬送ののち排出した目標重量に計量済みの棒状物品Ｘ…Ｘを下流側の物品排出部９方向へ滑落させて集合するためのもので、後方側に物品搬送部５の下流端が接続されている。そして、このシュート６の前方側ほど下方に傾斜する底面６′の後方側には、下流端で二点鎖線や矢印ｃで示すように旋回走行する仕切部材５２…５２が干渉することなく通過するように、平面視矩形状の切り欠き部６″が形成されている。その場合、切り欠き部６″の搬送方向ｂに直交する方向の寸法ｗ１は、仕切部材５２の搬送方向ｂに直交する方向の寸法ｗ２より大きく、かつ、棒状物品Ｘの長さＬより小さく設定されている。これにより、仕切部材５２は切り欠き部６″を通過可能、一方、棒状物品Ｘは切り欠き部６″を通過不能となる。
【００３４】
次に、組合せ計量装置１の制御システムについて説明する。
【００３５】
図４に示すように、この組合せ計量装置１を総括的に制御する制御部８には、各種設定や入力を行うために作業者が操作する操作部７が接続されている。
【００３６】
また、制御部８は、計量部３から出力される各計量信号を入力すると共にこれら計量信号に基づいて組合せ演算を行い、目標重量となるバケット４４…４４の組合せを選択する。そして、制御部８は、計量部３に備えられた計量ホッパ３１の下部の開閉を制御する信号を出力する。
【００３７】
また、制御部８は、物品供給部２の駆動を、つまり供給速度や起動停止のタイミング等を制御する信号を出力する。そして、制御部８は、バケット搬送部４の駆動を、つまりチェーン４３，４３の走行速度や起動停止のタイミング、及びバケット４４…４４の下部の開閉等を制御する信号を出力する。さらに、制御部８は、物品搬送部５の駆動を、つまり平ベルト５１の走行速度や起動停止のタイミング等を制御する信号を出力する。
【００３８】
そして、制御部８は、仕切部材５２とシュート６との間に棒状物品Ｘが挟まった場合、例えば作業者が操作部７を操作することによる信号を入力すると、この組合せ計量装置１の運転を停止するように制御する。
【００３９】
以上の構成により、制御部８による組合せ演算で選択されてバケット搬送部４のバケット４４…４４から排出された棒状物品Ｘ…Ｘは、下方の物品搬送部５の平ベルト５１に立設された複数の仕切部材５２…５２によって形成された空間Ｓ…Ｓに保持されることになる。
【００４０】
その場合、図５（ａ）に示すように、仕切部材５２の前面５２ａを後傾姿勢としたことにより、下流側ローラ５３近傍における平ベルト５１からシュート６への棒状物品Ｘの受け渡し時に、前述した図１０（ｂ）に示すような従来の垂直姿勢の仕切部材Ｃを用いた場合に比較して物品Ｘが矢印ｃ方向に旋回走行する仕切部材５２の前面５２ａに沿ってシュート６方向にいち早く転がり落ちるようになるため、図５（ｂ）及び図６に示すように、仕切部材５２が矢印ｃ方向に旋回走行しながらシュート６の底面６′の切り欠き部６″を通過するときには仕切部材５２と切り欠き部６″近傍との間に物品Ｘは介在しなくなる。
【００４１】
また、図７に示すように、仕切部材５２がシュート６の切り欠き部６″を通過するときに仕切部材５２と切り欠き部６″近傍との間に物品Ｘが介在したとしても、従来に比較して仕切部材５２と切り欠き部６″近傍とのなす角度が鈍化するため、旋回走行する仕切部材５２の前面５２ｂが物品Ｘを前方に押し出すようになり、仕切部材５２からの物品Ｘの離反が助勢されることになる。つまり、仕切部材５２が旋回走行するときの棒状物品Ｘの巻き込みが回避されるようになる。
【００４２】
したがって、仕切部材５２と切り欠き部６″近傍つまり仕切部材５２とシュート６とで棒状物品Ｘを挟むことがないから、物品Ｘの損傷が防止され、物品Ｘを下流側の物品排出部９に確実に受け渡すことができるようになる。
【００４３】
また、この組合せ計量装置１では、仕切部材５２とシュート６との間に棒状物品Ｘが挟まると運転が停止するような制御が行われるが、前述したように物品Ｘを挟むことがないから、運転停止による稼働率の低下が回避されるようになる。
【００４４】
さらに、平ベルト５１の水平走行時つまり棒状物品Ｘの水平搬送時には、物品Ｘは仕切部材５２の後傾姿勢とされた前面５２ａによって確実に仕切部材５２，５２間の空間Ｓに搬送方向ｂと直交する姿勢で保持されつつ下流側に搬送されるため、整列性が良くなる。したがって、例えば下流側での物品排出部９による棒状物品Ｘ…Ｘの排出行程や結束装置による結束行程等が円滑に行われるようになる。
【００４５】
そして、仕切部材５２は前面５２ａを後傾姿勢としたことに加えて後面５２ｂを前傾姿勢としたことにより、従来の垂直姿勢の仕切部材Ｃを用いる場合の配設ピッチｐと同じピッチｐで当該仕切部材５２を配設すると、図２と図１０（ａ）との比較より明らかなように、前後の仕切部材５２，５２の傾斜面５２ａ，５２ｂによって形成される平ベルト５１の水平搬送面の面積が縮小されるから、図３に示すように、棒状物品Ｘは該水平搬送面に搬送方向ｂと直交する姿勢に保持され易くなる。したがって、棒状物品Ｘは一層良好に所定の姿勢に保持されつつ搬送されるようになる。
【００４６】
そして、仕切部材５２を板状の部材で形成すると共にその前後両面５２ａ，５２ｂの下端部を介して平ベルト５１に固定したことにより、平ベルト５１の湾曲走行時に仕切部材５２は平ベルト５１に良好に追随して旋回走行するから、仕切部材５２は平ベルト５１の円滑な湾曲走行を阻害することがない。
【００４７】
その上で、仕切部材５２は平ベルト５１に良好に追随して旋回走行するから、図５（ｂ）に示すように、前後両面５２ａ，５２ｂの下端部を介して平ベルト５１に固定された仕切部材５２ａの前面５２ａの傾斜角はさらに鈍化する。したがって、旋回走行する仕切部材５２による棒状物品Ｘの巻き込みが一層回避されるようになる。
【００４８】
さらに、仕切部材５２は平ベルト５１に良好に追随して旋回走行することから、図５（ｂ）において二点鎖線で示すように、仕切部材５２の旋回走行時の高さｈ′は水平走行時の高さｈより低くなる。したがって、シュート６の切り欠き部６″の寸法を縮小することができ、平ベルト５１からシュート６への棒状物品Ｘの受け渡しが一層円滑になる。
【００４９】
一方、仕切部材５２の旋回走行時の高さｈ′を従来の垂直姿勢の仕切部材Ｃが旋回走行するときの高さｈ、あるいは仕切部材５２の水平走行時の高さｈと等しくなるように設定すると、当該仕切部材５２が水平走行するときの高さは従来の仕切部材Ｃの高さｈあるいは仕切部材５２の水平走行時の高さｈより高く設定することができることになるから、その場合には所定の空間Ｓへの棒状物品Ｘの保持が一層確実となる。したがって、棒状物品Ｘが仕切部材５２を乗り越えて隣接する保持空間Ｓに移動することが効果的に抑制されるから、目標重量に計量された物品Ｘを下流側へ確実に搬送することができるようになる。
【００５０】
次に、前記仕切部材５２とは別なる構成の仕切部材について説明する。なお、前述した実施の形態と共通する構成要素については、特に混乱を招かない限り同じ符号を付すことにする。
【００５１】
まず、図８に示すように、平ベルト５１に搬送方向ｂに沿って所定ピッチｐ′で立設された各仕切部材１５２は、後傾姿勢の前面１５２ａと垂直姿勢の後面１５２ｂとを有している。この場合、後面１５２ｂが前傾姿勢とされていないことから、平ベルト５１の水平搬送面の面積を前述した仕切部材５２を用いた場合の平ベルト５１の水平搬送面の面積と等しくなるように設定すると、当該仕切部材１５２の配設ピッチｐ′を前記仕切部材５２の配設ピッチｐより短縮することができるメリットがある。
【００５２】
次に、図９に示すように、平ベルト５１に搬送方向ｂに沿って立設された各仕切部材２５２は、後傾姿勢の前面２５２ａを有している。この場合、単純な構成の仕切部材２５２であることから、物品搬送部の構成が簡素化されるメリットがある。
【００５３】
なお、前記実施の形態に係る組合せ計量装置１では、物品搬送部５は計量部３の計量ホッパ３１から排出された計量済みの棒状物品Ｘ…Ｘを収容して搬送するバケット搬送部４の下方に配置されていたが、前述した特許文献１に記載の組合せ計量装置のように、物品搬送部５を複数の計量ホッパの下方に配置してもよい。
【００５４】
また、前記実施の形態では、仕切部材５２に帆布にポリウレタンをコーティングした部材を用いたが、これに限定されることはなく、適度な柔軟性と形状保持性とを有する部材の適用が可能である。
【産業上の利用可能性】
【００５５】
以上説明したように、本発明によれば、棒状物品を所定の姿勢で搬送すると共に下流側に確実に受け渡すことができる搬送装置及びそれを備えた組合せ計量装置が提供される。すなわち、本発明は、棒状物品を搬送する搬送装置及びそれを備えた組合せ計量装置に関し、物品処理の技術分野に広く好適である。
【図面の簡単な説明】
【００５６】
【図１】本発明の実施の形態に係る組合せ計量装置の概略側面図である。
【図２】物品搬送部の下流端近傍の要部抜粋側断面図である。
【図３】図２のＩＩ−ＩＩ線による矢視図である。
【図４】制御システムのブロック図である。
【図５】図２に相当する要部抜粋側断面図であって、（ａ）は旋回走行中の仕切部材によって棒状物品がシュートに排出されている状態、そして（ｂ）は仕切部材がシュートの切り欠き部を通過している状態を示す。
【図６】図５（ｂ）のＩＩＩ−ＩＩＩ線による矢視図である。
【図７】図２に相当する要部抜粋側断面図であって、棒状物品が挟まれようとしている場合の仕切部材の作用を示す。
【図８】別なる構成の仕切部材を示す側断面図である。
【図９】別なる構成の仕切部材を示す側断面図である。
【図１０】従来の仕切部材の問題を説明するための下流端近傍の搬送コンベアの要部抜粋側断面図であって、（ａ）は仕切部材によって後方から支持されながら棒状物品が搬送されている状態、（ｂ）は旋回走行中の仕切部材によって棒状物品が巻き込まれようとしている状態、そして（ｃ）は棒状物品が仕切部材とシュートとに挟まれた状態を示す。
【符号の説明】
【００５７】
１        組合せ計量装置
３        計量部（計量手段）
５        物品搬送部（搬送装置）
６        シュート
６″      切り欠き部
８        制御部（演算手段）
５１      平ベルト（搬送部材）
５２，１５２，２５２          仕切部材
５２ａ，１５２ａ，２５２ａ    前面
５２ｂ    後面
Ｘ        棒状物品
【図１】
2005075474.tif 000003
【図２】
2005075474.tif 000004
【図３】
2005075474.tif 000005
【図４】
2005075474.tif 000006
【図５】
2005075474.tif 000007
【図６】
2005075474.tif 000008
【図７】
2005075474.tif 000009
【図８】
2005075474.tif 000010
【図９】
2005075474.tif 000011
【図１０】
2005075474.tif 000012